(57)【特許請求の範囲】
【請求項１】
液体透過性の表面と液体不透過性の裏面とを具備し、実質的に縦長に形成されており、該裏面上に粘着剤が塗布されており、非使用時においては包装材により個装されている吸収性物品において、上記吸収性物品は、該吸収性物品と上記包装材とが一体に折り曲げられ且つロール状に巻き込まれた状態で封止されており、上記包装材より取り出されて非応力下におかれた際に、その長手方向における前方部が上記表面側又は上記裏面側の何れか一方に向けて湾曲し、該前方部を除く後方部は他方に向けて湾曲する、ことを特徴とする吸収性物品。
【請求項２】
請求項１記載の吸収性物品を包装材により個装してなる吸収性物品の包装構造であって、上記包装材は、吸収性物品の裏面側に、少なくとも該裏面上に塗布された粘着剤を覆うように当接されており、上記吸収性物品は、その一端が他端よりも内方に位置するように該一端と該他端とをずらして、該包装材と一体に且つ該吸収性物品の表面側に向けて、長手方向に２つ折りにされて折曲部が形成されており、上記包装材と上記吸収性物品とは、上記折曲部から一体に且つロール状に巻き込まれて封止されている、ことを特徴とする吸収性物品の包装構造。
【請求項３】
上記包装材は、その吸収性物品の裏面に当接する面が、剥離処理されていることを特徴とする請求項２記載の吸収性物品の包装構造。
【請求項４】
上記折曲部から上記一端までの距離と該折曲部から上記他端までの距離との比は、３：４〜１：６であることを特徴とする請求項２記載の吸収性物品の包装構造。
【請求項５】
上記包装材は、上記他端側に包装構造封止用の封止部材を有していることを特徴とする請求項２記載の吸収性物品の包装構造。
【請求項６】
液体透過性の表面と液体不透過性の裏面とを具備し、実質的に縦長に形成されており、該裏面上に粘着剤が塗布されており、非使用時においては包装材により個装されている吸収性物品において、上記吸収性物品は、該吸収性物品と上記包装材とが一体に折り曲げられ且つロール状に巻き込まれた状態で封止されており、上記包装材より取り出されて非応力下におかれた際に、その長手方向における前方部及び後方部は、吸収性物品の表面側又は裏面側の何れか一方に向けて湾曲し、中央部は、他方に向けて湾曲する、ことを特徴とする吸収性物品。
【発明の詳細な説明】
【０００１】
【発明の属する技術分野】
本発明は、生理用ナプキンや失禁パッドなどの吸収性物品及びその包装構造に関し、更に詳細には、装着時における違和感がなく、装着感に優れた吸収性物品及びその包装構造に関する。
【０００２】
【従来の技術及び発明の解決しようとする課題】
生理用ナプキンや失禁パッドなどの吸収性物品は近年多用されている。そして、このような吸収性物品は、液体透過性のトップシートと液体不透過性のバックシートとこれら両シート間に介在する吸収体とを具備し、実質的に縦長に形成されており、該トップシートの表面により形成された肌当接面と該バックシートの表面により形成された非肌当接面とを有し、該非肌当接面上に粘着剤が塗布されており、その非使用時においては包装材により個装されている。
そして、従来の個装方法は、▲１▼図９（ａ）に示すように、吸収性物品１１０に包装材１２０を当接させた後、該吸収性物品１１０をその一端１１９ａから該包装材１２０と一体にロール状に巻き込んでなる包装構造１００、及び▲２▼図１０（ａ）に示すように、吸収性物品２１０に包装材２２０を当接させた後、該吸収性物品２１０を略３等分する２つの折曲部２１８，２１８において、該包装材２２０と一体に３つ折りにした包装構造２００、が提案され実用に供されている。
【０００３】
しかし、上記▲１▼の包装構造１００においては、図９（ａ）に示すように、該包装構造１００における吸収性物品１１０の上記一端１１９ａ側の曲率半径が小さいため、図９（ｂ）に示すように、該包装構造から取り出した吸収性物品１１０の該一端１１９ａが丸まりすぎて、装着時に着用者に違和感を与える等装着感が悪いという問題があり、また、上記▲２▼の包装構造２００においては、図１０（ｂ）に示すように、三ツ折りにした上記折曲部２１８，２１８で折りジワができると共に、該折曲部２１８，２１８で曲率半径も小さくなるため、この折りジワにより装着時に着用者に違和感を与える等装着感が悪いという問題がある。
また、上記▲１▼及び▲２▼の包装構造では、包装構造から取り出した生理用ナプキンのフィット性が悪く、液漏れ防止性にも劣り、更には持ち運ぶ際にかさばってしまい携帯性に劣るという問題がある。
【０００４】
従って、本発明の目的は、装着感に優れ、更にはフィット性に優れ、液漏れ防止性にも優れ、包装構造とした際にコンパクトで携帯性の良い吸収性物品、及びその包装構造を提供することにある。
【０００５】
【課題を解決するための手段】
本発明者等は、上記課題を解消すべく鋭意検討した結果、前方部と後方部とがそれぞれ相異なる方向に向けて湾曲されてなる吸収性物品が、上記目的を達成しうることを知見した。
【０００６】
本発明は、上記知見に基づきなされたもので、液体透過性の表面と液体不透過性の裏面とを具備し、実質的に縦長に形成されており、該裏面上に粘着剤が塗布されており、非使用時においては包装材により個装されている吸収性物品において、上記吸収性物品は、該吸収性物品と上記包装材とが一体に折り曲げられ且つロール状に巻き込まれた状態で封止されており、上記包装材より取り出されて非応力下におかれた際に、その長手方向における前方部が上記表面側又は上記裏面側の何れか一方に向けて湾曲し、該前方部を除く後方部は他方に向けて湾曲する、ことを特徴とする吸収性物品（以下、「吸収性物品にかかる第１の発明」という場合にはこの発明をいう）を提供するものである。
【０００７】
また、本発明は、上記吸収性物品を包装材により個装してなる吸収性物品の包装構造であって、上記包装材は、吸収性物品の裏面側に、少なくとも該裏面上に塗布された粘着剤を覆うように当接されており、上記吸収性物品は、その一端が他端よりも内方に位置するように該一端と該他端とをずらして、該包装材と一体に且つ該吸収性物品の表面側に向けて、長手方向に２つ折りにされて折曲部が形成されており、上記包装材と上記吸収性物品とは、上記折曲部から一体に且つロール状に巻き込まれて封止されている、ことを特徴とする吸収性物品の包装構造を提供するものである。
【０００８】
また、本発明は、上記包装材が、その吸収性物品の裏面に当接する面が、剥離処理されている上記の吸収性物品の包装構造を提供するものである。
また、本発明は、上記折曲部から上記一端までの距離と該折曲部から上記他端までの距離との比が、３：４〜１：６である上記の吸収性物品の包装構造を提供するものである。
また、本発明は、上記包装材が、上記他端側に包装構造封止用の封止部材を有している上記の吸収性物品の包装構造を提供するものである。
【０００９】
更に、本発明は、液体透過性の表面と液体不透過性の裏面とを具備し、実質的に縦長に形成されており、該裏面上に粘着剤が塗布されており、非使用時においては包装材により個装されている吸収性物品において、上記吸収性物品は、該吸収性物品と上記包装材とが一体に折り曲げられ且つロール状に巻き込まれた状態で封止されており、上記包装材より取り出されて非応力下におかれた際に、その長手方向における前方部及び後方部は、吸収性物品の表面側又は裏面側の何れか一方に向けて湾曲し、中央部は、他方に向けて湾曲する、ことを特徴とする吸収性物品（以下、「吸収性物品にかかる第２の発明」という場合にはこの発明をいう）を提供するものである。
【００１０】
【発明の実施の形態】
以下、図面を参照して本発明の吸収性物品及びその包装構造について詳細に説明する。
図１は、本発明（吸収性物品にかかる第１の発明）の吸収性物品としての生理用ナプキンを示す側面図である。また、図２は、本発明の吸収性物品の包装構造を示す斜視図であり、図３は、図２に示す包装構造のIII-III 断面図である。また、図４は、包装材に生理用ナプキンを載置して、包装材と生理用ナプキンとを当接させた状態を示す平面図であり、図５は、図４に示す状態から、その長手方向に２つ折りにした状態を示す側面図であり、図６は、図５に示す状態から更にロール状に巻き込む状態を示す斜視図である。
また、図７（ａ）は、本発明（吸収性物品にかかる第２の発明）の吸収性物品としての生理用ナプキンを示す側面図であり、図７（ｂ）は、この生理用ナプキンの包装構造を示す巾方向断面図（図３相当図）であり、図８は、吸収性物品にかかる第１の発明の他の形態を示す側面図である。
【００１１】
図１に示す本発明（吸収性物品にかかる第１の発明）の吸収性物品としての生理用ナプキン１０は、液体透過性の表面１３と液体不透過性の裏面１４とを具備し、実質的に縦長に形成されており、該裏面１４上に粘着剤１５が塗布されており、非使用時においては包装材２０（図２等参照）により個装されている。
【００１２】
更に詳述すると、本形態の生理用ナプキン１０は、その長手方向中央部の両側縁が内方に向けて括れて形成されている。また、該生理用ナプキン１０の両側縁は、バックシートが表面側に巻き上げられており、これにより、左右一対の疎水性領域が形成されている（図４参照）。
また、上記表面１３は、液透過性のトップシート（肌当接面）１１により、上記裏面１４は、液不透過性のバックシート（非肌当接面）１２により形成されており、該トップシート１１及び該バックシート１２の間に吸収体（図示せず）が介在されている。上記トップシート、上記バックシート、上記吸収体及び上記粘着剤としては、通常吸収性物品に用いられるものを特に制限なく用いることができる。
尚、上記生理用ナプキンがその非使用時において個装されている包装材については後述する。
【００１３】
而して、本形態の生理用ナプキン１０は、該生理用ナプキン１０と包装材２０とが一体に折り曲げられ且つロール状に巻き込まれた状態で封止されており、上記包装材２０より取り出されて非応力下におかれた際に、その長手方向における前方部１６が上記裏面１４側に向けて湾曲し、該前方部１６を除く後方部１７は他方、即ち上記表面１３側に向けて湾曲する。
【００１４】
ここで、上記「前方部」とは、製造時の流れ方向において前方に位置する部分であり、また、上記「後方部」とは、該前方部を除く部分であり、該流れ方向において後方に位置する部分である。尚、該前方部と該後方部との境界は、後述する折曲部１８であり、本形態においては、該折曲部１８が変曲点を形成している。
また、「非応力下におかれた際」とは、生理用ナプキン１０を包装材から取り出して外力が加わらないようにした状態を意味し、更に、上記湾曲は、生理用ナプキンが、その厚さ方向に向けて湾曲していることを意味する。
【００１５】
上記後方部１７の長さと上記前方部１６の長さとの比（上記折曲部１８から上記一端１９ａまでの距離と該折曲部１８から上記他端１９ｂまでの距離との比）３：４〜１：６とするのが好ましい。即ち、上記前方部１６は、表面が窪んだように湾曲しており（本形態においては上記前方部１６）、着用時に排泄部に当接する部分であり、この着用時に排泄部に当接する部分の長さが、生理用ナプキン１０全体の長さの５５〜８５％であるのが、良好な装着感を得る上で好ましい。
【００１６】
また、上記前方部１６（着用時に排泄部に当接する部分）における湾曲の曲率半径は、８０ｍｍ〜３００ｍｍとするのが好ましく、上記後方部１７における湾曲の曲率半径は、４０ｍｍ〜２５０ｍｍとするのが好ましい。特に上記前方部１６における湾曲の曲率半径が８０ｍｍ未満であると、装着時において吸収性物品の前方部と後方部とが体に合わず、装着者に違和感を与え、３００ｍｍを超えると、体にフィットせず、排出された体液が肌を伝って漏れてしまう場合があるので、上記範囲内とするのが好ましい。また、上記後方部１７における湾曲の曲率半径が４０ｍｍ未満であると、装着時において吸収性物品が体に合わず、装着者に違和感を与え、２５０ｍｍを超えると、体にフィットせず、排出された体液が肌を伝って漏れてしまう場合があるので、上記範囲内とするのが好ましい。
【００１７】
また、上記生理用ナプキン１０は、その厚さｔが０．５〜１０ｍｍ、更には１．０〜３ｍｍであるのが好ましい。該厚さｔが、０．５ｍｍ未満であると、薄すぎるためによれて液漏れしやすくなり、１０ｍｍを超えると、装着者が違和感を覚え、また厚すぎるためにロール状に巻くと表面がしわになってしまう場合があり、更には後述する包装構造を形成した場合でもコンパクトにならず携帯性に劣るので、上記範囲内とするのが好ましい。
【００１８】
本形態の生理用ナプキンは、上述の如く構成されているので、フィット性に優れ、着用時に違和感を与えることがなく、装着感にも優れたものである。
【００１９】
次に、本発明の吸収性物品の包装構造について説明する。
本発明の包装構造としての図２及び３に示す形態の生理用ナプキン１０の包装構造１は、上記の生理用ナプキン１０を包装材２０により個装してなる。
そして、該包装構造１において、上記包装材２０は、生理用ナプキン１０の裏面１４側に、該裏面１４上に塗布された粘着剤１５を覆うように当接されており、上記生理用ナプキン１０は、その一端１９ａが他端１９ｂよりも内方に位置するように該一端１９ａと該他端１９ｂとをずらして、該包装材２０と一体に且つ該生理用ナプキン１０の表面１３側に向けて、長手方向に２つ折りにされて折曲部１８が形成されており、上記包装材２０と上記生理用ナプキン１０とは、上記折曲部１８から一体に且つロール状に巻き込まれて封止されている。
【００２０】
更に詳述すると、上記包装構造１においては、その両端部２，３は、それぞれ、ヒートシールにより封止されている。尚、この両端部２、３における封止は、接着剤を介して又は超音波シールなどの他の手法によっても行うことができる。
【００２１】
また、包装構造の表面に露出される包装材２０の端部２２には、封止部材２３が設けられており、該封止部材２３により、該端部２２が封止されている。
該封止部材２３は、通常この種の吸収性物品に用いられる粘着テープにより形成されており、該粘着テープを包装材の外表面に貼着し、更に先端部を折り返して摘み部２３ａが形成されている。
更に、該包装材２０の端部２２側の左右両側縁は、それぞれ巾広に形成されており、上記のヒートシールにより上記両端部２、３を形成するための側縁部２１，２１が設けられている。
【００２２】
上記包装材２０の形成材料としては、厚さ５〜５０μｍのポリプロピレン、ポリエステル、ポリエチレン、ポリビニルアルコール、あるいは不織布や紙、及びこれらの複合材料等が好ましく挙げられる。
【００２３】
そして、上記包装材は、その吸収性物品の裏面に当接する面が、剥離処理されている。
上記剥離処理は、両側縁部２１，２１（図４参照）以外の包装材の内面を剥離処理剤を塗布するか又は剥離テープを貼付する等して行うことができる。剥離処理剤あるいは剥離テープの剥離材成分としてはシリコーン樹脂系、フッソ樹脂系、又はオクタデシルイソシアネート系等のものが好ましい。特に、上記剥離処理としては、上記剥離材成分として、シリコーン樹脂系のものを用いて、塗布して加熱乾燥するか、スプレーで吹きつけ薄い被膜を形成させる等するのが好ましい。
さらに、薄いポリオレフィンフィルムあるいはポリエステルフィルムを剥離処理し、上記包装材料に熱あるいは超音波等により接合したものが、適度な剛性を有しており、開封し易く、また耐熱性に優れているため生産上有利である。
【００２４】
更に、上記折曲部１８から上記一端１９ａまでの距離と該折曲部１８から上記他端１９ｂまでの距離との比は、３：４〜１：６であるのが好ましい。
【００２５】
そして、生理用ナプキン１０の使用時には、上記摘み部２３ａを持って、上記端部２２を上方に引き上げて包装構造１を開封し、更に包装材２０と生理用ナプキン１０とを剥離させることにより、生理用ナプキン１０を使用に供することができる。
【００２６】
更に、図４〜６を参照して本形態の包装構造の製造方法について説明する。
本形態の包装構造１を製造するには、先ず、図４に示すように、包装材２０の剥離処理された面上に生理用ナプキン１０’（湾曲していないフラットな生理用ナプキン）を載置して、生理用ナプキン１０’の裏面１４に該包装材２０を当接させる。
次いで、図５に示すように、該生理用ナプキン１０’を、上記一端１９ａを上記他端１９ｂよりも内方に位置させて且つ生理用ナプキン１０’の表面１３側に向けて折曲て、折曲部１８を形成する。更に、図６に示すように、形成された折曲部１８から、ロール状に巻き込んだ後、上記両側縁部２１，２１をシールして両端部２，３を形成すると共に、上記封止部材２３をもって封止することにより、上記包装構造１が製造される。
【００２７】
本形態の包装構造は、上述の如く構成されているので、該包装構造を開封して取り出された生理用ナプキンが、上記の吸収性物品にかかる第１の発明の一形態としての生理用ナプキンとして得られる。即ち、本発明の包装構造によれば、コンパクトに個装され且つ無用なゴミを出すことなく容易に吸収性物品を取り出すことができると共に、開封して取り出される吸収性物品を、本発明（吸収性物品にかかる第１の発明）の吸収性物品として得ることができる。
【００２８】
更に、上記の吸収性物品にかかる第２の発明の吸収性物品について説明する。
尚、特に詳述しない点については、上記の図１に示す第１の発明の説明が適宜適用される。
【００２９】
上記の第２の発明の吸収性物品の１形態としての図７（ａ）に示す生理用ナプキン１０は、液体透過性のトップシート１１と液体不透過性のバックシート１２とを具備し、実質的に縦長に形成されており、該裏面１４上に粘着剤が塗布されており、非使用時においては包装材により個装されている。そして、上記生理用ナプキン１０は、該生理用ナプキン１０と包装材とが一体に折り曲げられ且つロール状に巻き込まれた状態で封止されており、上記包装材より取り出されて非応力下におかれた際に、その長手方向における前方部１６’及び後方部１７’は、吸収性物品の表面１３側に向けて湾曲し、中央部１７’は、他方に向けて湾曲する。
【００３０】
即ち、本形態の生理用ナプキン１０においては、着用時に着用者の排泄部に当接する上記中央部１７''が、裏面１４側に向けて湾曲しているので、フィット性に優れ、装着時に違和感なく装着することができる。
なお、上記前方部１６’、上記後方部１７’及び上記中央部１７''は、それぞれ製造時における製品の流れ方向に対して、前方に位置する部分、後方に位置する部分及び中央に位置する部分の意であり、それぞれに長さの比は、前方部１６’：後方部１７’：中央部１７''＝１：５：１〜１：１：１とするのが好ましい。
【００３１】
また、上記生理用ナプキン１０の包装構造としては、図７（ｂ）に示す形態が挙げられる。図７（ｂ）に示す包装構造は、後方部１７’を中央部１７''側に且つ裏面側に折り返した後、上記図２及び３に示す包装構造の如く、生理用ナプキンと包装材とを一体にロール状に巻き込んで封止されている。
【００３２】
尚、本発明は、上述した形態に限定されるものではなく、本発明の趣旨を逸脱しない範囲で種々変更可能である。
例えば、図８に示すように、上記後方部１７を裏面１４側に向けて湾曲させ、且つ該後方部１７の長さを前方部１６の長さよりも長くした生理用ナプキンとすることもできる。
また、上述の形態では、生理用ナプキンとして、長手方向中央部における両側縁が内方に向けて括れて形成されたものを例示したが、このようになされている必要はなく、幅が一定となされた形状など公知のナプキンの形状を特に制限なく採用することができる。また、上記包装材も、上述の如く側縁部２１が巾広となされた形状とする必要はなく、長方形状等とすることができる。
更に、本発明の吸収性物品は、上記の液透過性の表面及び液不透過性の裏面を有していれば、特に上記トップシート及び上記バックシートを有している必要はない。
また、本形態においては、包装材に別部材を付設することにより上記封止部材を設けた例で説明したが、特に別部材を設ける必要はなく、例えば、上記端部を、その一部（好ましくは中央部）を残してヒートシールなどにより封止することにより、包装構造を封止することができ、この場合には、封止されていない該一部が摘み部として機能する。
【００３３】
【発明の効果】
本発明の吸収性物品は、装着感に優れ、更にはフィット性に優れ、液漏れ防止性にも優れ、包装構造とした際にコンパクトで携帯性の良いものである。更に詳細には、本発明の吸収性物品は、長手方向に湾曲しているので、この湾曲により、フィット性に優れ、漏れ防止性が向上され、更には、装着感にも優れる。また、本発明の吸収性物品の包装構造は、コンパクトで携帯性に優れ、無用なゴミを出すことなく容易に吸収性物品を取り出すことができ、更には、該包装構造を開封して取り出すことにより、上記の本発明の吸収性物品が得られるものである。また、特に、上記吸収性物品が上述した厚さを有する超薄型ナプキンである場合には、コンパクトで携帯性に優れたものである。
【図面の簡単な説明】
【図１】図１は、本発明（吸収性物品にかかる第１の発明）の吸収性物品としての生理用ナプキンを示す側面図である。
【図２】図２は、本発明の吸収性物品の包装構造の一形態を示す斜視図である。
【図３】図３は、図２に示す包装構造のIII-III 断面図である。
【図４】図４は、包装材に生理用ナプキンを載置して、包装材と生理用ナプキンとを当接させた状態を示す平面図である。
【図５】図５は、図４に示す状態から、その長手方向に２つ折りにした状態を示す側面図である。
【図６】図６は、図５に示す状態から更にロール状に巻き込む状態を示す斜視図である。
【図７】図７（ａ）は、本発明（吸収性物品にかかる第２の発明）の吸収性物品としての生理用ナプキンを示す側面図であり、図７（ｂ）は、この生理用ナプキンの包装構造を示す巾方向断面図（図３相当図）である。
【図８】図８は、吸収性物品にかかる第１の発明の他の形態を示す側面図である。
【図９】図９は、従来の包装構造及び該包装構造を開封して得られる吸収性物品を示す概略図であり、（ａ）は、包装構造の製造過程を示す側面図であり、（ｂ）は、包装構造を開封して取り出した吸収性物品を示す側面図である。
【図１０】図１０は、従来の包装構造及び該包装構造を開封して得られる吸収性物品を示す概略図であり、（ａ）は、包装構造の製造過程を示す側面図であり、（ｂ）は、包装構造を開封して取り出した吸収性物品を示す側面図である。
【符号の説明】
１      包装構造
１０    生理用ナプキン
１１    トップシート
１２    バックシート
１３    表面
１４    裏面
１５    粘着剤
１６    前方部
１７    後方部
１８    折曲部
１９ａ  一端
１９ｂ  他端
２０    包装材
２１    側縁部
２２    端部
２３    封止部材
【図１】
0003758721.tif 000002
【図２】
0003758721.tif 000003
【図３】
0003758721.tif 000004
【図４】
0003758721.tif 000005
【図５】
0003758721.tif 000006
【図６】
0003758721.tif 000007
【図７】
0003758721.tif 000008
【図８】
0003758721.tif 000009
【図９】
0003758721.tif 000010
【図１０】
0003758721.tif 000011